(57)【要約】【課題】作業者が通線ロッドの呼び線を直接掴んで取り出せないような狭小なスペ−スにおいても、呼び線を取り出すことが可能な通線用呼び線捕捉工具の提供【解決手段】この発明の通線用呼び線捕捉工具は、カメラ装置Ｂを添設した伸縮部材Ａの後端部にリンク部材Ｃの先端部を固定し、リンク部材Ｃの後端部を関節部材Ｄの先端部に固定し、関節部材Ｄの後端部を、長筒Ｅの先端部に固定し、長筒Ｅのラックネジ部６を前後動可能な関節駆動部材Ｆを設け、長筒Ｅに装着した摺動子８と関節駆動部材Ｆとを連結杆９で連結し、関節部材Ｄの先端部に、筋材１０の先端部を回動可能に取付け、後端部を摺動子８に回動可能に取付け、長筒Ｅの後端部に、紐巻き取り具１１を備えた中空状の取っ手部材Ｇを取付け、中空部からワイヤ１２を、伸縮部材Ａまで挿通し、ワイヤ１２の先端部を、伸縮部材Ａの最内側の短筒１ａに固定し、短筒１ａの先端部に、フック１３を装着し、伸縮部材Ａの後端部に、紐１４の一端を固定し、他端を紐巻き取り具１１に固定している。 【選択図】 図１
2007037362.tif 000002
【特許請求の範囲】
【請求項１】
（イ）段階的に伸縮可能な伸縮部材（Ａ）は、サイズの異なる複数本の短筒（１ａ，１ｂ，１ｃ，・・・）を摺動可能に同心状に配設し、最内側の短筒（１ａ）を押し出すと、該短筒（１ａ）に連動して、他の短筒（１ｂ，１ｃ、・・・）も順次竹の子状に伸び、前記最内側の短筒（１ａ）を引き込めると、該短筒（１ａ）に連動して、他の短筒（１ｂ，１ｃ、・・・）も順次引き込むように構成されている、
（ロ）前記伸縮部材（Ａ）のケ−ス（２）にカメラ装置（Ｂ）を設置している、
（ハ）スプリング（３）のバネ力によって、常時直線状の姿勢を保持するように付勢され、一方向にのみ屈曲可能なリンク部材（Ｃ）の先端部を前記伸縮部材（Ａ）のケ−ス（２）の後端部に、該リンク部材（Ｃ）が前記カメラ装置（Ｂ）に対して逆方向に屈曲可能に固定している、
（ニ）前記リンク部材（Ｃ）の後端部を、短片（４）の後端下部と別の短辺（５）の前端下部を回動可能に連結してなる関節部材（Ｄ）の先端部に固定している、
（ホ）前記関節部材（Ｄ）の後端部を、後部にラックネジ部（６）を設けた長筒（Ｅ）の先端部に固定している、
（ヘ）前記長筒（Ｅ）のラックネジ部（６）に螺合するピニオン（７）を備え、該ピニオン（７）を回転させることにより、前記ラックネジ部（６）を前後動可能な関節駆動部材（Ｆ）を設けている、
（ト）前記長筒（Ｅ）の先端部の手前に、筒状の摺動子（８）を装着し、該摺動子（８）と前記関節駆動部材（Ｆ）とを連結杆（９）で連結している、
（チ）前記関節部材（Ｄ）を伸ばした状態で、該関節部材（Ｄ）の短片（４）の先端上部に、筋材（１０）の先端部を回動可能に取付け、該筋材（１０）の後端部を前記摺動子（８）に回動可能に取付けている、
（リ）前記長筒（Ｅ）の後端部に、上部に紐巻き取り具（１１）を備え、やや下方に湾曲した中空状の取っ手部材（Ｇ）を取付け、該取っ手部材（Ｇ）の中空部からワイヤ（１２）を、前記長筒（Ｅ）、前記関節部材（Ｄ）、前記リンク部材（Ｃ）を経由して、前記伸縮部材（Ａ）まで挿通し、該ワイヤ（１２）の先端部を、前記伸縮部材（Ａ）の最内側の短筒（１ａ）に固定している、
（ヌ）前記伸縮部材（Ａ）の最内側の短筒（１ａ）の先端部に、呼び線捕捉用のフック（１３）を着脱可能に装着している、
（ル）、前記関節部材（Ｄ）と前記リンク部材（Ｃ）を伸ばした状態で、前記伸縮部材（Ａ）の前記カメラ装置（Ｂ）と反対側の後端部に、紐（１４）の一端を固定し、他端を前記紐巻き取り具（１１）に固定している、
以上のことを特長とする通線用呼び線捕捉工具。
【発明の詳細な説明】
【技術分野】
【０００１】
本発明は、通線用呼び線捕捉工具に関するものである。
【背景技術】
【０００２】
既設の電線管の中に、新たな電線・ケ−ブル類を通線する場合には、例えば、一方のマンホ−ルから、先端部にカメラを装着したＦＲＰ製の通線ロッドを、カメラによって、電線管の隙間を探しながら、押し進めていき、他方のマンホ−ルに進出してきた通線ロッドをマンホ−ルから引き出し、通線ロッドに添えていた呼び線に新たな電線・ケ−ブル類を接続したのち、通線ロッドと呼び線を引き戻すという工法によって行われている。
【０００３】
前記工法は、通線ロッドの呼び線を作業者が直接掴んで取り出せる程度のスペ−スが必要であり、このようなスペ−スが確保できない作業環境では、呼び線を引き出すことができないという問題点があった。
【特許文献１】特開平１０−７０８０７号公報
【特許文献２】特開平１１−３４１６３７号公報
【発明の開示】
【発明が解決しようとする課題】
【０００４】
この発明は、背景技術で記述した問題点を解消するためになされたもので、作業者が通線ロッドの呼び線を直接掴んで取り出せないような狭小なスペ−スにおいても、呼び線を取り出すことが可能な通線用呼び線捕捉工具の提供を目的とするものである。
【課題を解決するための手段】
【０００５】
この発明の通線用呼び線捕捉工具は、サイズの異なる複数本の短筒を摺動可能に同心状に配設し、最内側の短筒を押し出すと、該短筒に連動して、他の短筒も順次竹の子状に伸び、前記最内側の短筒を引き込めると、該短筒に連動して、他の短筒も順次引き込むように構成されている段階的に伸縮可能な伸縮部材のケ−スにカメラ装置を設置し、スプリングのバネ力によって、常時直線状の姿勢を保持するように付勢され、一方向にのみ屈曲可能なリンク部材の先端部を前記伸縮部材のケ−スの後端部に、該リンク部材が前記カメラ装置に対して逆方向に屈曲可能に固定し、前記リンク部材の後端部を、短片の後端下部と別の短辺の前端下部を回動可能に連結してなる関節部材の先端部に固定し、前記関節部の別の短辺の後端部を、後部にラックネジ部を設けた長筒の先端部に固定し、前記長筒のラックネジ部に螺合するピニオンを備え、該ピニオンを回転させることにより、前記ラックネジ部を前後動可能な関節駆動部材を設け、前記長筒の先端部の手前に、筒状の摺動子を装着し、該摺動子と前記関節駆動部材とを連結杆で連結し、前記関節部材を伸ばした状態で、該関節部材の短片の先端部に、筋材の先端部を回動可能に取付け、該筋材の後端部を前記摺動子に回動可能に取付け、前記長筒の後端部に、上部に紐巻き取り具を備え、やや下方に湾曲した中空状の取っ手部材を取付け、該取っ手部材の中空部からワイヤを、前記長筒、前記関節部材、前記リンク部材を経由して、前記伸縮部材まで挿通し、該ワイヤの先端部を、前記伸縮部材の最内側の短筒に固定し、前記伸縮部材の最内側の短筒の先端部に、呼び線捕捉用のフックを着脱可能に装着し、前記関節部材と前記リンク部材を伸ばした状態で、前記伸縮部材の前記カメラ装置と反対側の後端部に、紐の一端を固定し、他端を前記紐巻き取り具に固定していることを特長とするものである。
【発明の効果】
【０００６】
この発明は上述のように構成されているので、次のような効果を奏する。
（１）伸縮部材と長筒を挿通できるスペ−スがあれば、カメラで呼び線の位置を確認しながら、呼び線を呼び線捕捉用のフックで捕捉し引き出すことができる。
（２）ワイヤを進退させることにより、伸縮部材を段階的に伸縮させることができる。
（３）ピニオンを回転させ、関節駆動部材を進退させることにより、関節部材を屈曲させることができる。
（４）紐巻き取り具を回して、紐を巻き取ることにより、リンク部材を屈曲させ、弛めることによりリンク部材を元の姿勢に復帰させることができる。
（５）関節部材を備えているので、呼び線を捕捉できるエリアが拡大する。
【発明を実施するための最良の形態】
【０００７】
作業者が通線ロッドの呼び線を直接掴んで取り出せないような狭小なスペ−スにおいても、呼び線を取り出すことが可能な通線用呼び線捕捉工具の提供という目的を、呼び線捕捉用フックを備えた伸縮部材、リンク部材、関節部材と長筒の組合せにより実現できた。
【実施例】
【０００８】
本発明の実施の一例を図面を参照しながら説明する。図１〜図２に示すように、サイズの異なる複数本の短筒１ａ，１ｂ，１ｃ，・・・を摺動可能に同心状に配設し、最内側の短筒１ａを押し出すと、短筒１ａに連動して、他の短筒１ｂ，１ｃ、・・・も順次竹の子状に伸び、最内側の短筒１ａを引き込めると、短筒１ａに連動して、他の短筒１ｂ，１ｃ、・・・も順次引き込むように構成されている段階的に伸縮可能な伸縮部材Ａのケ−ス２にカメラ装置Ｂを設置している。
【０００９】
スプリング３のバネ力によって、常時直線状の姿勢を保持するように付勢され、一方向にのみ屈曲可能なリンク部材Ｃの先端部を伸縮部材Ａのケ−ス２の後端部に、リンク部材Ｃがカメラ装置Ｂに対して逆方向に屈曲可能に固定している。
【００１０】
リンク部材Ｃの後端部を、図１に示すように、短片４の後端下部と別の短辺５の前端下部を回動可能に連結してなる関節部材Ｄの先端部に固定し、関節部材Ｄの別の短辺５の後端部を、後部にラックネジ部６を設けた長筒Ｅの先端部に固定している。
【００１１】
図３に示すように、長筒Ｅのラックネジ部６に螺合するピニオン７を備え、ピニオン７を回転させることにより、ラックネジ部６を前後動可能な関節駆動部材Ｆを設け、長筒Ｅの先端部の手前に、筒状の摺動子８を装着し、摺動子８と関節駆動部材Ｆとを連結杆９で連結している。したがって、ピニオン７を回転させて、関節駆動部材Ｆを前後動させると、それに連動して摺動子８も長筒Ｅ上を摺動しながら前後動するようになっている。
【００１２】
関節部材Ｄを伸ばした状態で、関節部材Ｄの短片４の先端上部に、金属などの剛体からなる筋材１０の先端部を回動可能に取付け、筋材１０の後端部を摺動子８に回動可能に取付けている。
したがって、ピニオン７を回転させて、関節駆動部材Ｆを後退させると、それに連動して摺動子８が後退し、筋材１０が関節部材Ｄの短片４の先端上部を引き戻し、図１の二重点線１５で示すように、関節部材Ｄを屈曲させることができる。
【００１３】
長筒Ｅの後端部に、上部に紐巻き取り具１１を備え、やや下方に湾曲した中空状の取っ手部材Ｇを取付け、取っ手部材Ｇの中空部からワイヤ１２を、長筒Ｅ、関節部材Ｄ、リンク部材Ｃを経由して、伸縮部材Ａまで挿通し、ワイヤ１２の先端部を、伸縮部材Ａの最内側の短筒１ａに固定している。したがって、ワイヤ１２を押し込むと、図２に示す状態から図１に示す状態に、伸縮部材Ａの最内側の短筒１ａを押し出し、それに連動して、他の短筒１ｂ，１ｃ、・・が順次竹の子状に伸びるようになっている。
【００１４】
なお、ワイヤ１２は、鋼の単線、撚り線または単線と撚り線を複合させた構成であってもよく、またワイヤ１２の上に、例えば、熱収縮チュ−ブなどの被覆を施してもよい。
【００１５】
伸縮部材Ａの最内側の短筒１ａの先端部に、例えば、図４に示すように、呼び線が縦または横になっている状態でも、確実に呼び線を捕捉できように、例えば、横及び下の三方向に爪１６を設けた呼び線捕捉用のフック１３を着脱可能に装着している。
【００１６】
関節部材Ｄとリンク部材Ｃを伸ばした状態で、伸縮部材Ａのカメラ装置Ｂと反対側の後端部に、紐１４の一端を固定し、他端を紐巻き取り具１１に固定している。したがって、紐巻き取り具１１を回して、紐１４を巻き取ると、リンク部材Ｃは、図１の二重点線１７で示すように、リンク部材Ｃを湾曲状に屈曲させることができる。なお、図１〜図２においては、紐１４を見やすくするため、故意に弛ませて描いたが、実際は、緊張した状態になっている。
【００１７】
図１において、１８はカメラ装置Ｂに電力を供給するための電源装置で、スイッチやモニタ接続用のコンセントなどを備えており、該装置から図示は省略した電線・ケ−ブルがカメラ装置Ｂに配設されている。なお、電源としては乾電池が使用される。
【産業上の利用可能性】
【００１８】
狭小スペ−スから呼び線を引き出し、該呼び線に電線・ケ−ブル類を接続し、前記狭小なスパ−スから電線・ケ−ブル類を電線管路等に引き込む作業において、狭小なスペ−ス部で、呼び線を捕捉し引き出すための工具として利用できる。
【図面の簡単な説明】
【００１９】
【図１】本発明の実施の一例を示す伸縮部材を伸ばした状態の側面図
【図２】本発明の実施の一例を示す伸縮部材を縮めた状態の平面図
【図３】関節駆動部材の概略縦断面図
【図４】呼び線捕捉用のフックの実施の一例を示す斜視図
【符号の説明】
【００２０】
１  短筒
２  ケ−ス
３  スプリング
４  短辺
５  別の短辺
６  ラックネジ部
７  ピニオン
８  摺動子
９  連結杆
１０  筋材
１１  紐巻き取り具
１２  ワイヤ
１３  呼び線捕捉用のフック
１４  紐
１５  二重点線
１６  爪
１７  二重点線
１８  電源装置
Ａ  伸縮部材
Ｂ  カメラ装置
Ｃ  リンク部材
Ｄ  関節部材
Ｅ  長筒
Ｆ  関節駆動部材
Ｇ  取っ手部材
【図１】
2007037362.tif 000003
【図２】
2007037362.tif 000004
【図３】
2007037362.tif 000005
【図４】
2007037362.tif 000006